(57)【特許請求の範囲】
【請求項１】
複数の二次側端子を備えた主幹ブレーカと、プラグ状の一次側電源端子を有する分岐ブレーカとを、前記二次側端子に夫々取り付けられる複数の接続バーと、その接続バーに夫々連結され、厚み方向となる前後方向に所定の間隔を有して重ね合わせ状に並設される複数の板状の主幹バーとを介して接続する主幹ブレーカと分岐ブレーカとの接続構造であって、
前記主幹バーの左右両端縁に、前記一次側電源端子に差し込み接続可能な左右幅を有するフランジを形成し、その両フランジ間に、前方又は後方へ突出する水平断面コ字状の凸条部を折り曲げ形成し、
さらに、複数の前記主幹バーのうち、１つの主幹バーの前記凸条部の左右幅を、他の主幹バーの前記凸条部の左右幅よりも幅広に形成しており、
前記１つの主幹バーと前記他の主幹バーとを、幅広の凸条部内に前記他の主幹バーの凸条部が位置するような状態で並設したことを特徴とする主幹ブレーカと分岐ブレーカとの接続構造。
【発明の詳細な説明】
【技術分野】
【０００１】
本発明は、主幹ブレーカと所謂プラグ式の分岐ブレーカとを接続するための接続構造に関するものである。
【背景技術】
【０００２】
従来より、主幹ブレーカから複数の分岐ブレーカへ配線するための接続構造として、主幹ブレーカの二次側端子と連結された主幹バーに、一次側電源端子がプラグ状に形成された所謂プラグ式の分岐ブレーカを接続する構造が一般的に知られている（たとえば、特許文献１）。ここで、主幹ブレーカと分岐ブレーカとの接続構造の周知例について、図４及び図５を基に説明する。図４は、従来より周知な主幹ブレーカと分岐ブレーカとの接続構造について示した説明図であり、図５は、図４におけるＡ−Ａ線断面を部分的に示した説明図である。
【０００３】
５０は、主幹ブレーカ５１や複数の分岐ブレーカ５２、５２・・等の各種電気機器を搭載してなる分電盤である。主幹ブレーカ５１の二次側端子５６、５６・・には、夫々接続バー５３、５３・・の一端が取り付けられ、各接続バー５３の他端には、左右方向に幅広な帯状の金属板である主幹バー５４がネジ５５により連結されている。そして、主幹バー５４、５４・・は、その厚み方向（前後方向）に所定の間隔を有して並設されている。該主幹バー５４、５４・・には、図５に示す如く、プラグ状の一次側電源端子を備えてなる分岐ブレーカ５２、５２・・が左右両側から差し込まれるようにして接続されている。
【０００４】
【特許文献１】特開２００２−４４８１２号公報
【発明の開示】
【発明が解決しようとする課題】
【０００５】
上述したように、従来の接続構造では、左右方向に幅広（図５で示すＬ１寸法）な帯状の金属板を主幹バーとして用いている。したがって、主幹バーに分岐ブレーカを接続すると、分岐ブレーカも含めた左右幅が非常に大きくなり、分電盤のキャビネットを大型化しなければならない等の問題が生じる。特に、主幹の電気容量が大きいような場合には、主幹バーの左右幅を更に大きくしなければならず、上記問題が一層顕著となる。
【０００６】
そこで、本発明は、上記問題を解決すべくなされたものであって、分岐ブレーカ接続時の左右幅をコンパクトに抑えることができる主幹ブレーカと分岐ブレーカとの接続構造を提供しようとするものである。
【課題を解決するための手段】
【０００７】
上記目的を達成するために、本発明は、複数の二次側端子を備えた主幹ブレーカと、プラグ状の一次側電源端子を有する分岐ブレーカとを、前記二次側端子に夫々取り付けられる複数の接続バーと、その接続バーに夫々連結され、厚み方向となる前後方向に所定の間隔を有して重ね合わせ状に並設される複数の板状の主幹バーとを介して接続する主幹ブレーカと分岐ブレーカとの接続構造であって、前記主幹バーの左右両端縁に、前記一次側電源端子に差し込み接続可能な左右幅を有するフランジを形成し、その両フランジ間に、前方又は後方へ突出する水平断面コ字状の凸条部を折り曲げ形成し、さらに、複数の前記主幹バーのうち、１つの主幹バーの前記凸条部の左右幅を、他の主幹バーの前記凸条部の左右幅よりも幅広に形成しており、前記１つの主幹バーと前記他の主幹バーとを、幅広の凸条部内に前記他の主幹バーの凸条部が位置するような状態で並設したことを特徴とする。
【発明の効果】
【０００８】
本発明によれば、板状の主幹バーに、水平断面が前方及び／又は後方へ突出する凸条部を折り曲げ形成しているため、折り曲げていない平らな板状部材を主幹バーとして用いる接続構造と比較すると、その左右幅を短縮することができる（本実施例においては、Ｌ１寸法をＬ２寸法に短縮することができる）。したがって、本発明に係る接続構造により接続された主幹ブレーカ及び分岐ブレーカを収納する分電盤のキャビネットを小型化することができる。
また、主幹の電気容量が大きい場合には、主幹バーの断面積を大きくしなければならないため、左右幅の広い主幹バーを用いなければならない。しかしながら、上述したような凸条部を設けることにより、その左右幅を短縮することができる。つまり、本発明に係る接続構造は、特に主幹の電気容量が大きい場合等に好適に利用することができる。
さらに、主幹バーの左右幅が短縮されるため、分電盤を大型化することなく、分電盤内において主幹バーに接続した分岐ブレーカの二次側に十分なスペースを設けることができる。したがって、分岐ブレーカの二次側への電線接続作業が容易となる等、作業性の向上をも図ることができる。
加えて、主幹バーに前方及び／又は後方へ突出する凸条部を形成することによって、該凸条部が補強の役割（リブ等を設ける場合と同様の効果）を果たすことになる。したがって、主幹バーに接続する分岐ブレーカの数が多くなり、主幹バーの上下方向長さが長くなったとしても、主幹バーに撓みが生じる事態を防止できる上、従来では設置していた撓み防止部材等を設ける必要がなく、コストダウンを図ることができる。
また、主幹バーに設ける凸条部を、水平断面コ字状に形成しているため、主幹バーの構造を簡素化することができ、コストの低減を図ることができる。
さらに、複数の主幹バーのうち、１つの主幹バーの凸条部の左右幅を、他の主幹バーの凸条部の左右幅よりも幅広に形成しており、１つの主幹バーと他の主幹バーとを、幅広の凸条部内に他の主幹バーの凸条部が位置するような状態で並設しているため、たとえ主幹バーを並設する間隔よりも突出量の大きい凸条部を設けたとしても、２つの主幹バーを干渉させることなく並設することができ、左右幅の一層の短縮を図ることができる。
【発明を実施するための最良の形態】
【０００９】
以下、本発明の一実施形態となる主幹ブレーカと分岐ブレーカとの接続構造について図面を基に説明する。
【００１０】
図１は、主幹ブレーカ２や分岐ブレーカ３、３・・等を収納設置してなる分電盤１を示した説明図である。また、図２（ａ）は、主幹バー４ａ、４ｂ、４ｃの設置状態を示した説明図であり、図２（ｂ）は、主幹バー４ａ、４ｂ、４ｃの夫々の外観を示した説明図である。尚、図２における上下方向は、主幹バー４ａ、４ｂ、４ｃの前後方向として説明する。
分電盤１には、主幹ブレーカ２が収納設置されており、該主幹ブレーカ２の二次側端子５、５・・には、夫々接続バー６、６・・が取り付けられている。また、各接続バー６には、図２に示すような主幹バー４ａ、４ｂ、４ｃが夫々ネジ７により連結されている。そして、主幹バー４ａ、４ｂ、４ｃは、前後方向に所定の間隔を有して並設されている。
【００１１】
ここで、各主幹バー４ａ、４ｂ、４ｃについて、図２及び３を基に説明する。図３は、図１におけるＡ−Ａ線断面を部分的に示した断面説明図である。
主幹バー４ａは、帯状の金属板の中央部を前方へ突出する凸条に折り曲げて、水平断面コ字状に形成したものであって、折り曲げ前よりも左右幅が短縮されて、図３に示すＬ２寸法となっている。また、凸条部１１の上方端部には、図示しないネジ孔が穿設されており、ネジ７により接続バー６と連結可能となっている。さらに、凸条部１１の左右両側（金属板の左右両側縁）にあるフランジは、分岐ブレーカ３のプラグ式に形成された一次側電源端子２１に差し込まれる接続部１２、１２として機能する。
【００１２】
また、主幹バー４ｂは、帯状の金属板を、その中央部に後方へ突出する凹条部１３を設けて、水平断面コ字状に形成したものであって、主幹バー４ｂの左右幅は、主幹バー４ａと同一となっている。さらに、凹条部１３の左右両側（金属板の左右両側縁）にあるフランジは、分岐ブレーカ３の一次側電源端子２１に差し込まれる接続部１２、１２となっている。加えて、主幹バー４ｂは、主幹バー４ａよりも上下方向に長く、その上端部（接続部１２の上端部）には、接続バー６と連結するための図示しないネジ孔が穿設されている。
【００１３】
さらに、主幹バー４ｃは、主幹バー４ｂ同様、帯状の金属板を、その中央部に後方へ突出する凹条部１４を設けて、水平断面コ字状に形成したものである。該凹条部１４は、主幹バー４ｂの凹条部１３よりも左右幅が幅広で、且つ、主幹バー４ａ、４ｂ、４ｃ並設時に凹条部１４内に凹条部１３が位置するように設けられている。そして、主幹バー４ｃの左右幅は、主幹バー４ａ及び主幹バー４ｂと同一となっている。また、主幹バー４ｃの凹条部１４の左右両側（金属板の左右両側縁）にあるフランジも、分岐ブレーカ３の一次側電源端子２１に差し込まれる接続部１２、１２となっている。さらに、主幹バー４ｃは、主幹バー４ｂよりも上下方向に更に長く形成されており、その上端部（接続部１２の上端部）には、接続バー６と連結するための図示しないネジ孔が穿設されている。
【００１４】
上述のような構成を有する主幹バー４ａ、４ｂ、４ｃは、前面側から主幹バー４ａ、主幹バー４ｂ、主幹バー４ｃの順となるように、各主幹バー４ａ、４ｂ、４ｃと対応する接続バー６に連結される。この際、主幹バー４ａ、４ｂ、４ｃは、その接続部１２同士の前後間隔が分岐ブレーカ３の一次側電源端子２１、２１・・の間隔と一致するような状態となる。また、主幹バー４ａ、４ｂ、４ｃは、その上端側が階段状に配置された状態で各接続バー６と連結されている。
そして、接続バー６、６・・と連結された主幹バー４ａ、４ｂ、４ｃに対して、左右両側から複数の分岐ブレーカ３、３・・を差し込み接続することにより、主幹ブレーカ２と分岐ブレーカ３、３・・とを接続することができる。
【００１５】
以上のような主幹バー４ａ、４ｂ、４ｃを用いた接続構造によれば、板状の主幹バー４ａ、４ｂ、４ｃに凸条部又は凹条部を折り曲げ形成し、主幹バー４ａ、４ｂ、４ｃの水平断面をコ字状に形成しているため、折り曲げていない平らな板状部材を主幹バーとして用いる接続構造と比較すると、その左右幅を短縮することができる（すなわち、Ｌ１寸法をＬ２寸法に短縮することができる）。したがって、該接続構造により接続された主幹ブレーカ２及び分岐ブレーカ３、３・・を収納する分電盤１のキャビネットを小型化することができる。
【００１６】
また、主幹の電気容量が大きい場合には、主幹バーの断面積を大きくしなければならないため、左右幅の広い主幹バーを用いなければならない。しかしながら、上述したような凸条部又は凹条部を折り曲げ形成することで、その左右幅を短縮することができる。つまり、該接続構造は、特に主幹の電気容量が大きい場合等に好適に利用することができる。
【００１７】
さらに、主幹バー４ａ、４ｂ、４ｃの左右幅が短縮されるため、分電盤を大型化することなく、分電盤１内において主幹バー４ａ、４ｂ、４ｃに接続した分岐ブレーカ３、３・・の二次側に十分なスペースを設けることができる。したがって、分岐ブレーカ３、３・・の二次側への電線接続作業が容易となる等、作業性の向上をも図ることができる。
【００１８】
さらにまた、主幹バー４ａ、４ｂ、４ｃを水平断面コ字状体とすることによって、凸条部１１や凹条部１３、１４等が補強の役割（リブ等を設ける場合と同様の効果）を果たすことになる。したがって、主幹バー４ａ、４ｂ、４ｃに接続する分岐ブレーカ３、３・・の数が多くなり、主幹バー４ａ、４ｂ、４ｃの上下方向長さが長くなったとしても、主幹バー４ａ、４ｂ、４ｃに撓みが生じないため、従来では設置していた撓み防止部材等を設ける必要がなく、コストダウンを図ることができる。
【００１９】
加えて、主幹バー４ｂと主幹バー４ｃとの凹条部の左右幅や設置位置を異ならせており、凹条部１４内に主幹バー４ｂの凹条部１３を位置させるよう、主幹バー４ｃの凹条部１４を幅広に設けているため、たとえ接続部１２同士の間隔よりも突出量の大きい凹条部を設けたとしても、主幹バー４ｂと主幹バー４ｃとを干渉させることなく所定の間隔で並設することができ、左右幅の一層の短縮を図ることができる。
【００２０】
なお、本発明の接続構造に係る構成は、上記実施形態の態様に何ら限定されるものではなく、本発明の趣旨を逸脱しない範囲で、接続バーや主幹バーの材料、形状、両者の連結等に係る構成を、必要に応じて適宜変更することができる。
【００２１】
たとえば、各主幹バーの折り曲げ部における突出量や突出方向（すなわち、凸条とするか凹条とするか）は、接続バーとの連結状態において各主幹バー同士の絶縁距離が確保できているのであれば適宜変更可能であって、上記実施の形態に記載の如く水平断面コ字状に何ら限定されることはなく、たとえば水平断面Ｕ字状やＷ字状、Ｓ字状等とすることも可能である。また、上記実施の形態とは逆に、中段にある主幹バーを凸条となるような姿勢で連結することも当然可能である。
【００２２】
さらに、上記実施の形態では、３つの主幹バーの全てを異なる形状としているが、上段の主幹バーと下段の主幹バーを同一部材とし、表裏逆にして使用することも可能である。このように同一部材を使用することで、部品点数の削減、またそれに伴うコストの低減、部材管理の容易化といった効果を奏することができる。
【００２３】
加えて、上段の主幹バーや下段の主幹バーに設ける接続部の左右幅を、分岐ブレーカの一次側電源端子への差し込み幅と同一に設けるような構成としてもよい。該構成を採用することにより、分岐ブレーカを接続する際に分岐ブレーカが凸条部又は凹条部に当接するまで差し込まれることになる。つまり、凸条部又は凹条部が目安となるため、分岐ブレーカの差し込みが足りずに接続不良が生じるといった事態や、逆に分岐ブレーカを必要以上に差し込んでしまい一次側電源端子を傷めてしまうといった事態を防止することができ、主幹ブレーカと分岐ブレーカとの確実な接続を実現することができる。
【図面の簡単な説明】
【００２４】
【図１】主幹ブレーカや分岐ブレーカ等を収納設置してなる分電盤を示した説明図である。
【図２】（ａ）は、主幹バーの設置状態を示した説明図であり、（ｂ）は、主幹バーの夫々の外観を示した説明図である。
【図３】図１におけるＡ−Ａ線断面を部分的に示した断面説明図である。
【図４】従来より周知な主幹ブレーカと分岐ブレーカとの接続構造について示した説明図である。
【図５】図４におけるＡ−Ａ線断面を部分的に示した断面説明図である。
【符号の説明】
【００２５】
１・・分電盤、２・・主幹ブレーカ、３・・分岐ブレーカ、４ａ、４ｂ、４ｃ・・、主幹バー、５・・二次側端子、６・・接続バー、７・・ネジ、１１・・凸条部、１２・・接続部、１３、１４・・凹条部、２１・・一次側電源端子。
【図１】
0004824456.tif 000002
【図２】
0004824456.tif 000003
【図３】
0004824456.tif 000004
【図４】
0004824456.tif 000005
【図５】
0004824456.tif 000006